(57)【要約】【課題】個人毎に内容物の使用に関する管理を容易にすることができる計量装置等を提供する。【解決手段】容器３内の内容物５を計量する計量部１１と、計量部１１により計量された計量データを記憶しておく記憶部１２と、記憶部１２に記憶されている過去の計量データと、計量部１１が計量した計量データとから、内容物５の使用量データを算出する演算部（１４）と、内容物５の使用に関して、携帯端末装置２０のユーザ毎に管理するための管理データを算出するように、使用量データを、所定範囲Ｒ内にある携帯端末装置２０に近距離無線通信により送信する通信部（１３）と、を備える。【選択図】図１
2014234993.tif 000002
【特許請求の範囲】
【請求項１】
容器内の内容物を計量する計量部と、
前記計量部により計量された計量データを記憶しておく記憶部と、
前記記憶部に記憶されている過去の計量データと、前記計量部が計量した計量データとから、前記内容物の使用量データを算出する演算部と、
前記内容物の使用に関して、携帯端末装置のユーザ毎に管理するための管理データを算出するように、前記使用量データを、所定範囲内にある前記携帯端末装置に近距離無線通信により送信する通信部と、
を備えたことを特徴とする計量装置。
【請求項２】
請求項１に記載の計量装置において、
前記記憶部が、前記容器内の内容物の成分に関する情報を含む内容物データを記憶し、
前記通信部が、前記使用量データと前記内容物データとを、所定範囲内にある前記携帯端末装置に近距離無線通信により送信することを特徴とする計量装置。
【請求項３】
請求項２に記載の計量装置において、
前記内容物の成分に関する情報が、食品の栄養成分に関する情報であることを特徴とする計量装置。
【請求項４】
請求項１から３のいずれか１項に記載の計量装置において、
前記計量部が、重量を計測することを特徴とする計量装置。
【請求項５】
計量装置の計量方法において、
容器内の内容物を計量する計量ステップと、
前記計量された計量データを記憶部に記憶しておく記憶ステップと、
前記記憶部に記憶されている過去の計量データと、前記計量ステップにおいて計量した計量データとから、前記内容物の使用量データを算出する演算ステップと、
前記内容物の使用に関して、携帯端末装置のユーザ毎に管理するための管理データを算出するように、前記使用量データを、所定範囲内にある前記携帯端末装置に近距離無線通信により送信する通信ステップと、
を含むことを特徴とする計量方法。
【請求項６】
コンピュータを、
容器内の内容物を計量する計量手段、
前記計量手段により計量された計量データを記憶しておく記憶手段、
前記記憶手段に記憶されている過去の計量データと、前記計量手段が計量した計量データとから、前記内容物の使用量データを算出する演算手段、および、
前記内容物の使用に関して、携帯端末装置のユーザ毎に管理するための管理データを算出するように、前記使用量データを、所定範囲内にある前記携帯端末装置に近距離無線通信により送信する通信手段として機能させることを特徴とする計量装置用のプログラム。
【請求項７】
計量する計量装置と、データをユーザ毎に管理するための携帯端末装置と、を備えた管理システムにおいて、
前記計量装置が、
容器内の内容物を計量する計量部と、
前記計量部により計量された計量データを記憶しておく記憶部と、
前記記憶部に記憶されている過去の計量データと、前記計量部が計量した計量データとから、前記内容物の使用量データを算出する演算部と、
前記内容物の使用に関して、前記携帯端末装置のユーザ毎に管理するための管理データを算出するように、前記使用量データを、所定範囲内にある前記携帯端末装置に近距離無線通信により送信する通信部と、
を有することを特徴とする計量システム。
【発明の詳細な説明】
【技術分野】
【０００１】
本発明は、容器の内容物を計量する計量装置、計量方法、計量装置用のプログラム、および、管理システムに関する。
【背景技術】
【０００２】
物品の使用量を管理するために、容器自体に計量機能を有する容器の技術である。例えば、特許文献１には、単結晶シリコン基板上に形成されたひずみセンサと、ひずみセンサの出力を無線で外部に送信する通信手段とを有する計量デバイスを、物品の容器に貼り付けてなる計量機能を具備する物品容器が開示されている。
【先行技術文献】
【特許文献】
【０００３】
【特許文献１】特開２００７−４６９９０号公報
【発明の概要】
【発明が解決しようとする課題】
【０００４】
しかしながら、特許文献１では、ひずみセンサの出力を無線で外部に送信するのみで、容易に個人を特定することができないので、個人毎に内容物の使用に関する管理を容易にすることができなかった。
【０００５】
そこで、本発明は上記の問題点等に鑑みて為されたもので、その課題の一例は、個人毎に内容物の使用に関する管理を容易にすることができる計量装置等を提供することを目的とする。
【課題を解決するための手段】
【０００６】
上記の課題を解決するために、請求項１に記載の発明は、容器内の内容物を計量する計量部と、前記計量部により計量された計量データを記憶しておく記憶部と、前記記憶部に記憶されている過去の計量データと、前記計量部が計量した計量データとから、前記内容物の使用量データを算出する演算部と、前記内容物の使用に関して、携帯端末装置のユーザ毎に管理するための管理データを算出するように、前記使用量データを、所定範囲内にある前記携帯端末装置に近距離無線通信により送信する通信部と、を備えたことを特徴とする。
【０００７】
また、請求項２に記載の発明は、請求項１に記載の計量装置において、前記記憶部が、前記容器内の内容物の成分に関する情報を含む内容物データを記憶し、前記通信部が、前記使用量データと前記内容物データとを、所定範囲内にある前記携帯端末装置に近距離無線通信により送信することを特徴とする。
【０００８】
また、請求項３に記載の発明は、請求項２に記載の計量装置において、前記内容物の成分に関する情報が、食品の栄養成分に関する情報であることを特徴とする。
【０００９】
また、請求項４に記載の発明は、請求項１から３のいずれか１項に記載の計量装置において、前記計量部が、重量を計測することを特徴とする。
【００１０】
また、請求項５に記載の発明は、計量装置の計量方法において、容器内の内容物を計量する計量ステップと、前記計量された計量データを記憶部に記憶しておく記憶ステップと、前記記憶部に記憶されている過去の計量データと、前記計量ステップにおいて計量した計量データとから、前記内容物の使用量データを算出する演算ステップと、前記内容物の使用に関して、携帯端末装置のユーザ毎に管理するための管理データを算出するように、前記使用量データを、所定範囲内にある前記携帯端末装置に近距離無線通信により送信する通信ステップと、を含むことを特徴とする。
【００１１】
また、請求項６に記載の発明は、コンピュータを、容器内の内容物を計量する計量手段、前記計量手段により計量された計量データを記憶しておく記憶手段、前記記憶手段に記憶されている過去の計量データと、前記計量手段が計量した計量データとから、前記内容物の使用量データを算出する演算手段、および、前記内容物の使用に関して、携帯端末装置のユーザ毎に管理するための管理データを算出するように、前記使用量データを、所定範囲内にある前記携帯端末装置に近距離無線通信により送信する通信手段として機能させることを特徴とする。
【００１２】
また、請求項７に記載の発明は、計量する計量装置と、データをユーザ毎に管理するための携帯端末装置と、を備えた管理システムにおいて、前記計量装置が、容器内の内容物を計量する計量部と、前記計量部により計量された計量データを記憶しておく記憶部と、前記記憶部に記憶されている過去の計量データと、前記計量部が計量した計量データとから、前記内容物の使用量データを算出する演算部と、前記内容物の使用に関して、前記携帯端末装置のユーザ毎に管理するための管理データを算出するように、前記使用量データを、所定範囲内にある前記携帯端末装置に近距離無線通信により送信する通信部と、を有することを特徴とする。
【発明の効果】
【００１３】
本発明によれば、容器内の内容物の使用量データを、所定範囲内にある携帯端末装置に近距離無線通信することにより、ユーザの携帯端末装置と、計量装置とを接近させ、所定範囲内に入った携帯端末装置のみとデータのやりとりができ、他の携帯端末装置と区別できるので、個人毎に内容物の使用に関する管理を容易にすることができる。
【図面の簡単な説明】
【００１４】
【図１】本発明の実施形態に係る内容物の使用量の管理システムの概要構成例を示す模式図である。
【図２】内容物データの一例を示す模式図である。
【図３】図１の計量装置および携帯端末装置の概要構成例を示すブロック図である。
【図４】図１の携帯端末装置におけるデータ取得の動作例を示すシーケンス図である。
【図５】図１の計量装置における内容物データ設定の動作例を示すシーケンス図である。
【図６】図１の計量装置における内容物データ設定の動作例を示すシーケンス図である。
【図７】図１の計量装置の動作例を示すフローチャートである。
【図８】図７のＩＣタグ処理のサブルーチンを示すフローチャートである。
【図９】図７の携帯端末処理のサブルーチンを示すフローチャートである。
【図１０】図１の携帯端末装置の動作例を示すフローチャートである。
【発明を実施するための形態】
【００１５】
以下、図面を参照して本発明の実施形態について説明する。なお、以下に説明する実施の形態は、内容物の使用量の管理システムに対して本発明を適用した場合の実施形態である。
【００１６】
［１．管理システムの構成および機能の概要］
（１．１  管理システムの概要構成）
【００１７】
まず、本発明の一実施形態に係る管理システムの概要構成例について、図１および図２を用いて説明する。
図１は、本発明の実施形態に係る内容物の使用量の管理システムの概要構成例を示す模式図である。図２は、内容物データの一例を示す模式図である。
【００１８】
図１に示すように、管理システム１は、容器３内の内容物５を計量する計量装置１０と、データをユーザ毎に管理するための携帯端末装置２０と、内容物５の詰め替え用の商品７に貼られたＩＣタグ３０と、を備えている。
【００１９】
計量装置１０は、醤油やドレッシング等の液体の内容物５の容器３の底に設置されている。計量装置１０は、内容物５が入った容器３の重さを計量できるようになっている。なお、計量装置１０と容器３とは、切り離せないような一体の製品でもよいし、切り離せるようになっていてもよい。なお、内容物の一例として、醤油、ドレッシングの他に、酢、酒、調味料等が挙げられる。また、内容物の一例として、塩、砂糖、胡椒等の粉状のものでもよい。また、内容物の一例として、食料品の他に、薬品でもよい。
【００２０】
また、計量装置１０は、ＩＣタグ３０に記憶されているデータを読み出す、ＩＣタグリーダーの機能を有する。
【００２１】
携帯端末装置２０は、各個人が所有するスマートフォンのような携帯端末である。図１に示すように、容器３に携帯端末装置２０をかざすことにより、携帯端末装置２０が、計量装置１０から近距離無線通信が可能な所定範囲内に近づいたときに、計量装置１０と携帯端末装置２０とは、近距離無線通信を行う。携帯端末装置２０は、計量装置１０により計量された内容物５の使用量を近距離無線通信により受信する。また、図１に示すように、計量装置１０は、計量装置１０から所定範囲外にある他の携帯端末装置２０とは、近距離無線通信を行わない。
【００２２】
ここで、近距離無線通信は、近接場型の無線通信（ＮＦＣ（Near Field Communication））である。本実施形態では、他の携帯端末装置２０との区別ができるような距離（数センチから数１０センチの距離）での小電力無線通信技術であることが好ましい。例えば、図１に示すように、計量装置１０は、計量装置１０から所定範囲Ｒ内にある携帯端末装置２０と通信可能になる。ユーザが携帯端末装置２０を計量装置１０にかざすことにより、携帯端末装置２０と計量装置１０との通信が可能になる。
【００２３】
ＩＣタグ３０は、ＲＦＩＤ（Radio frequency identification）の一種である。ＩＣタグ３０は、内容物データを記憶するメモリ、アンテナ等を有する。ＩＣタグ３０には、図２に示すように、内容物の成分表示の情報等の内容物データが記憶されている。ＩＣタグ３０は、計量装置１０等から電波を受けて作動し、内容物データを近距離無線通信により出力する。また、内容物データは、内容物の商品を特定するＩＤ情報も有する。なお、ＩＣタグ３０は、電源を内蔵しないパッシブ型でも、電源を内蔵するアクティブ型でもよい。
【００２４】
なお、計量装置１０は、複数でもよく、例えば、異なる内容物を有する他の容器に設置された計量装置が挙げられる。
【００２５】
（１．２  計量装置１０および携帯端末装置の機能構成）
次に、計量装置の機能ブロックについて図３を用い説明する。図３は、計量装置１０および携帯端末装置２０の概要構成例を示すブロック図である。
【００２６】
図３に示すように、計量装置１０は、容器３内の内容物５を計量する計量部１１と、内容物データを記憶する記憶部１２と、携帯端末装置２０およびＩＣタグ３０と近距離無線を行う近距離無線通信部１３と、計量部１１の計量結果に基づき、計量データを生成する制御部１４と、を備えている。
【００２７】
計量部１１（計量手段の一例）は、半導体圧力センサ等の圧力や歪みを図る素子を有する。計量部１１は、内容物５を含む容器３全体の重さを計量して、データとして出力する。
【００２８】
記憶部１２（記憶手段の一例）は、例えば、不揮発性のメモリを有する。記憶部１２は、内容物の成分に関する情報を含む内容物データを記憶したり、計量部１１が計量した計量データを記憶したりする。また、記憶部１２には、過去の内容物データおよび計量データが記憶されている。また、記憶部１２には、カロリー、タンパク質、ミネラル、ビタミンといった成分毎の栄養成分に関する管理データが記憶されている。なお、記憶部１２には、ユーザが使用した他の商品の内容物データおよび計量データが記憶されていてもよい。
【００２９】
近距離無線通信部１３（通信手段の一例）は、近接場型の無線通信用のアンテナや発信機能を有する。近距離無線通信部１３は、数センチから数１０センチの距離の範囲内にある携帯端末装置２０との近距離無線通信を行う。
【００３０】
制御部１４（演算手段の一例）は、ＣＰＵ（Central Processing Unit）、ＲＯＭ（Read Only Memory）、および、ＲＡＭ（Random Access Memory）等を有する。制御部１４は、計量装置１０の制御を行ったり、内容物の使用量を算出したりする。また、制御部１４は、時計の機能を有する。
【００３１】
次に、携帯端末装置２０は、図３に示すように、撮像部２１と、記憶部２２と、近距離無線通信部２３と、表示部２４と、操作部２５と、制御部２６と、を備えている。
【００３２】
撮像部２１は、ＣＭＯＳ（Complementary Metal Oxide Semiconductor）またはＣＣＤ（Charge Coupled Device）のようなイメージセンサを有するカメラである。
【００３３】
記憶部２２は、例えば、不揮発性のメモリを有する。携帯端末装置２０上で起動するアプリケーションのプログラム等を記憶する。
【００３４】
近距離無線通信部２３は、近接場型の無線通信用のアンテナや発信機能を有する。近距離無線通信部２３は、数センチから数１０センチの距離の範囲内にある計量装置１０との近距離無線通信を行う。また、近距離無線通信部２３は、外部のネットワークに接続する機能を有する。
【００３５】
表示部２４は、例えば、液晶表示素子またはＥＬ（Electro Luminescence）素子等によって構成されている。
【００３６】
操作部２５は、例えば、タッチパネルのようなタッチスイッチ方式の表示パネルである。操作部２５は、利用者が接触または近接した表示部２４の位置情報を取得する。
【００３７】
制御部２６は、ＣＰＵ、ＲＯＭ、および、ＲＡＭ等を有する。制御部２６は、携帯端末装置２０の制御を行ったり、アプリケーションを実行して、管理データの計算を行ったりする。また、制御部２６は、時計の機能を有する。
【００３８】
［２．計量装置の動作］
次に、本発明の一実施形態に係る管理システムの動作について図４から図９を用い説明する。
【００３９】
図４は、携帯端末装置２０におけるデータ取得の動作例を示すシーケンス図である。図５および図６は、計量装置１０における内容物データ設定の動作例を示すシーケンス図である。図７は、計量装置１０の動作例を示すフローチャートである。図８は、ＩＣタグ処理のサブルーチンを示すフローチャートである。図９は、携帯端末処理のサブルーチンを示すフローチャートである。図１０は、携帯端末装置の動作例を示すフローチャートである。
【００４０】
（２．１  携帯端末装置２０におけるデータ取得）
まず、計量装置１０は、容器３の重量を計量して、予め計量データを記憶部１２に記憶しておく。例えば、計量部１１が、容器３の重量を計量して、揺れが収まった際の計量データが、時刻に関連付けて記憶部１２に記憶される。
【００４１】
そして、携帯端末装置２０のユーザが、容器３に入っているドレッシングを、サラダに掛ける。容器３がテーブルの上に置かれる。
【００４２】
図４に示すように、管理システム１は、計量の変化を検知する（ステップＳ１）。具体的には、計量装置１０が、計量部１１の計量データを読み出し、計量データの変化を検知する。携帯端末装置２０のユーザが容器を持ち上げることにより、計量装置１０が、揺れを検知する。
【００４３】
次に、管理システム１は、計量を計測する（ステップＳ２）。具体的には、計量装置１０が、計量の変化を検知し、揺れが収まった後に、内容物５が入った容器３の重さを計量する。
【００４４】
このように、計量装置１０は、容器内の内容物を計量する計量手段の一例として機能する。
【００４５】
次に、管理システム１は、計量を記憶する（ステップＳ３）。具体的には、計量装置１０が、計量した計量データを記憶部１２に時刻と共に記憶する。なお、計量装置１０は、ＦＩＦＯ（First-In First-Out）方式で記憶部１２に、計量データを順に記憶してもよい。
【００４６】
このように、計量装置１０は、前記計量手段により計量された計量データを記憶しておく記憶手段の一例として機能する。また、計量装置１０は、前記容器内の内容物の成分に関する情報を含む内容物データを記憶しておく記憶手段の一例として機能する。
【００４７】
次に、管理システム１は、画面選択を受け付ける（ステップＳ４）。具体的には、携帯端末装置２０が、栄養管理用のアプリケーションを起動したユーザから、表示部２４に表示された”データ取得”、”内容物データの設定”、”栄養成分管理”のメニューからの選択を受け付ける。例えば、”データ取得”のボタンが押される。なお、携帯端末装置２０のユーザは、ダウンロードした栄養管理用のアプリケーションを起動させておく。
【００４８】
そして、ユーザは、計量装置１０を備えた容器３と、携帯端末装置２０とを接近させる。例えば、ユーザが、計量装置１０を備えた容器３に、携帯端末装置２０をかざす。そして、計量装置１０と、携帯端末装置２０とは、互いに信号を送り認証等の処理を行う。
【００４９】
次に、管理システム１は、データ取得要求を送信する（ステップＳ５）。具体的には、携帯端末装置２０が、データ取得要求を近距離無線通信により計量装置１０に送信する。
【００５０】
次に、管理システム１は、データ取得要求を受信する（ステップＳ６）。具体的には、計量装置１０が、データ取得要求を近距離無線通信により携帯端末装置２０から受信する。
【００５１】
次に、管理システム１は、使用量データを算出する（ステップＳ７）。具体的には、計量装置１０が、記憶部１２に記憶されている前回の計量データ（過去の計量データの一例）と、ステップＳ２において、計量部１１が計量した計量データとから、内容物５の使用量データを算出する。
【００５２】
このように、計量装置１０は、前記内容物の使用に関して、前記記憶手段に記憶されている過去の計量データと、前記計量手段が計量した計量データとから、前記内容物の使用量データを算出する演算手段の一例として機能する。
【００５３】
次に、管理システム１は、使用量データおよび内容物データを送信する（ステップＳ８）。具体的には、計量装置１０が、算出した使用量データと、記憶部１２から読み出した内容物データとを、近距離無線通信部１３を通して、近距離無線通信により携帯端末装置２０に送信する。
【００５４】
このように、計量装置１０は、前記内容物の使用に関して、携帯端末装置のユーザ毎に管理するための管理データを算出するように、前記使用量データを、所定範囲内にある前記携帯端末装置に近距離無線通信により送信する通信手段の一例として機能する。また、計量装置１０は、前記使用量データと前記内容物データとを、所定範囲内にある前記携帯端末装置に近距離無線通信により送信する通信手段の一例として機能する。
【００５５】
次に、管理システム１は、使用量データおよび内容物データを受信する（ステップＳ９）。具体的には、携帯端末装置２０が、使用量データおよび内容物データを、近距離無線通信部２３を通して、近距離無線通信により計量装置１０から受信する。
【００５６】
次に、管理システム１は、管理データを計算する（ステップＳ１０）。具体的には、携帯端末装置２０が、栄養に関する管理データとして、図２示すような内容物データに従い、各成分と使用量とから、各成分の使用量（摂取量）を算出する。そして、携帯端末装置２０が、管理データとして、過去に使用した各成分の使用量との合計を算出する。
【００５７】
次に、管理システム１は、計算結果を表示・記憶する（ステップＳ１１）。具体的には、携帯端末装置２０が、表示部２４に、内容物５の使用量、各成分の使用量、各成分のトータルの使用量、月別使用量等の管理データを表示する。また、携帯端末装置２０が、これらの管理データを、時間等に関連付けて、記憶部２２に記憶する。
【００５８】
（２．２  、計量装置１０における内容物データ設定Ｉ）
次に、計量装置１０における内容物データの設定Ｉについて、図５を用いて説明する。
【００５９】
ユーザが、計量装置１０を備えた容器３と、ＩＣタグ３０とを接近させる。例えば、ユーザが、計量装置１０を備えた容器３に、ＩＣタグ３０が貼られた商品７をかざす。そして、計量装置１０から読み出し用の信号が発信され、ＩＣタグ３０が起動する。
【００６０】
次に、ＩＣタグ３０が応答の信号を発信する。
【００６１】
次に、計量装置１０が、発信した信号に対する応答の信号を受信し、内容物データを受信する準備を整える。例えば、計量装置１０が、ＩＣタグ３０を検出したか否かを判定する。
【００６２】
図５に示すように、管理システム１は、内容物データを送信する（ステップＳ２０）。具体的には、ＩＣタグ３０が、商品の内容物に関する内容物データを近距離無線通信により計量装置１０に送信する。
【００６３】
次に、管理システム１は、内容物データを受信する（ステップＳ２１）。具体的には、計量装置１０が、内容物データを近距離無線通信によりＩＣタグ３０から受信する。
【００６４】
次に、管理システム１は、内容物データを記憶する（ステップＳ２２）。具体的には、計量装置１０が、記憶部１２に内容物データを記憶する。
【００６５】
（２．３  、計量装置１０における内容物データ設定ＩＩ）
次に、計量装置１０における内容物データの設定ＩＩについて、図６を用いて説明する。
【００６６】
図６に示すように、管理システム１は、画面選択を受け付ける（ステップＳ２３）。具体的には、携帯端末装置２０が、ステップＳ４のように、栄養管理用のアプリケーションを起動したユーザから、表示部２４に表示された”データ取得”、”内容物データの設定”、”栄養成分管理”のメニューからの選択を受け付ける。例えば、”内容物データの設定”のボタンが押される。
【００６７】
次に、管理システム１は、内容物データを取得する（ステップＳ２４）。ユーザにより、携帯端末装置２０が、ＩＣタグ３０が貼られた商品７にかざされ、携帯端末装置２０が、ＩＣタグ３０から内容物データを取得する。または、携帯端末装置２０が、操作部２５からのユーザによる入力を受け付けることにより、内容物データを取得する。または、携帯端末装置２０が、商品７に貼られた商品コード（２次元コード等）を、撮像部２１により撮像し、ＵＲＬ（Uniform Resource Locator）を求め、ネットワークに接続して、対応する内容物データを取得する。
【００６８】
次に、ユーザは、計量装置１０を備えた容器３と、携帯端末装置２０とを接近させる。例えば、ユーザが、計量装置１０を備えた容器３に、携帯端末装置２０をかざす。
【００６９】
次に、管理システム１は、内容物データを送信する（ステップＳ２５）。具体的には、携帯端末装置２０が、取得した内容物データを近距離無線通信により計量装置１０に送信する。
【００７０】
次に、管理システム１は、内容物データを受信する（ステップＳ２６）。具体的には、計量装置１０が、内容物データを近距離無線通信により携帯端末装置２０から受信する。
【００７１】
次に、管理システム１は、内容物データを記憶する（ステップＳ２７）。具体的には、計量装置１０が、内容物データを記憶部１２に記憶する。
【００７２】
（２．４  、計量装置１０の動作例を示すフローチャート）
次に、図４から図６のシーケンス図に対応して、計量装置１０の動作例について、図７から図９を用いて説明する。
【００７３】
図７に示すように、計量装置１０は、近距離無線を検出する（ステップＳ３０）。例えば、計量装置１０が、ＩＣタグ３０からの応答の信号を受信したり、携帯端末装置２０からの応答の信号を受信したりする。
【００７４】
計量装置１０は、ＩＣタグ３０を検出したか否かを判定する（ステップＳ３１）。
【００７５】
ＩＣタグ３０を検出した場合（ステップＳ３１；ＹＥＳ）、計量装置１０は、ＩＣタグ処理を行う（ステップＳ３２）。なお、詳細は、図８のＩＣタグ処理のサブルーチンにおいて説明する。
【００７６】
ＩＣタグ３０を検出しない場合（ステップＳ３１；ＮＯ）、計量装置１０は、携帯端末装置２０を検出したか否かを判定する（ステップＳ３３）。例えば、計量装置１０が、認証等の処理により、携帯端末装置２０を認識することにより、携帯端末装置２０を検出したか否かを判定する。
【００７７】
携帯端末装置２０を検出した場合（ステップＳ３３；ＹＥＳ）、計量装置１０は、携帯端末処理を行う（ステップＳ３４）。なお、詳細は、図９の携帯端末処理のサブルーチンにおいて説明する。
【００７８】
携帯端末装置２０を検出しない場合（ステップＳ３３；ＮＯ）、ステップＳ３２のＩＣタグ処理、または、ステップＳ３４の端末処理が終了した場合、計量装置１０は、計量装置１０の電源がＯＦＦまたはＯＮであるかを判定する（ステップＳ３５）。
【００７９】
電源がＯＮの場合（ステップＳ３５；ＹＥＳ）、計量装置１０は、戻ってステップＳ３０の処理を行う。一方、電源がＯＦＦの場合（ステップＳ３５；ＮＯ）、計量装置１０は、一連の処理を終了する。
【００８０】
（２．５  、ＩＣタグ処理のサブルーチン）
次に、ＩＣタグ処理のサブルーチンについて、図８を用いて説明する。
【００８１】
図８に示すように、計量装置１０は、内容物データを取得する（ステップＳ３６）。具体的には、計量装置１０が、ステップＳ２１に対応して、内容物データを近距離無線通信によりＩＣタグ３０から受信する。
【００８２】
次に、計量装置１０は、内容物データを記憶する（ステップＳ３７）。具体的には、ステップＳ２２に対応して、計量装置１０が、記憶部１２に内容物データを記憶する。
【００８３】
そして、ステップＳ３２のＩＣタグ処理のサブルーチンの処理が終了する。
【００８４】
（２．６  、携帯端末処理のサブルーチン）
次に、携帯端末処理のサブルーチンについて、図９を用いて説明する。
【００８５】
図９に示すように、計量装置１０は、内容物データを受信したか否かを判定する（ステップＳ３８）。具体的には、ステップＳ２６に対応して、携帯端末装置２０が取得した内容物データを、近距離無線通信により携帯端末装置２０から受信したか否かを判定する。
【００８６】
内容物データを受信した場合（ステップＳ３８；ＹＥＳ）、計量装置１０は、ステップＳ２７に対応して、内容物データを記憶部１２に記憶する（ステップＳ３９）。
【００８７】
内容物データを受信しない場合（ステップＳ３８；ＮＯ）、計量装置１０は、データ取得要求を受信したか否かを判定する（ステップＳ４０）。具体的には、ステップＳ６に対応して、データ取得要求を携帯端末装置２０から受信した際、計量装置１０が、データ取得要求を受信したか否かを判定する。
【００８８】
データ取得要求を受信した場合（ステップＳ４０；ＹＥＳ）、計量装置１０は、ステップＳ７に対応して、使用量データを算出する（ステップＳ４１）。
【００８９】
次に、計量装置１０は、ステップＳ８に対応して、使用量データおよび内容物データを送信する（ステップＳ４２）。
【００９０】
（２．７  、携帯端末装置の動作例を示すフローチャート）
次に、図４から図６のシーケンス図に対応して、携帯端末装置２０の動作例について、図１０を用いて説明する。
【００９１】
図１０に示すように、携帯端末装置２０は、ステップＳ４またはステップＳ２３に対応して、画面選択を受け付ける（ステップＳ５０）。
【００９２】
次に、携帯端末装置２０は、近距離無線を検出する（ステップＳ５１）。例えば、携帯端末装置２０が、計量装置１０からの応答の信号を受信する。
【００９３】
次に、携帯端末装置２０は、内容物データの送信要求か否かを判定する（ステップＳ５２）。具体的には、携帯端末装置２０が、ステップＳ５０の画面選択において、”内容物データの設定”が選択されたか否かを判定する。
【００９４】
内容物データの送信要求の場合（ステップＳ５２；ＹＥＳ）、携帯端末装置２０は、ステップＳ２４に対応して、内容物データを取得する（ステップＳ５３）。
【００９５】
次に、携帯端末装置２０は、ステップＳ２５に対応して、内容物データを計量装置１０に送信する（ステップＳ５４）。
【００９６】
内容物データの送信要求でない場合（ステップＳ５２；ＮＯ）、携帯端末装置２０は、データ取得か否かを判定する（ステップＳ５５）。具体的には、携帯端末装置２０が、ステップＳ５０の画面選択において、”データ取得”が選択されたか否かを判定する。
【００９７】
データ取得の場合（ステップＳ５５；ＹＥＳ）、携帯端末装置２０は、ステップＳ５に対応して、データ取得要求を計量装置１０に送信する（ステップＳ５６）。
【００９８】
次に、携帯端末装置２０は、ステップＳ９に対応して、使用量データおよび内容物データを計量装置１０から受信する（ステップＳ５７）。
【００９９】
次に、携帯端末装置２０は、ステップＳ１０に対応して、管理データを計算する（ステップＳ５８）。
【０１００】
次に、携帯端末装置２０は、ステップＳ１１に対応して、計算結果を表示・記憶する（ステップＳ５９）。
【０１０１】
次に、携帯端末装置２０は、ステップＳ３５のように、電源がＯＦＦまたはＯＮであるかを判定する（ステップＳ６０）。
【０１０２】
以上、本実施形態によれば、容器３内の内容物５の使用量データを、所定範囲Ｒ内にある携帯端末装置２０に近距離無線通信することにより、ユーザの携帯端末装置２０と、計量装置１０とを接近させ、所定範囲Ｒ内に入った携帯端末装置２０のみとデータのやりとりができ、他の携帯端末装置２０と区別できるので、個人毎に内容物５の使用に関する管理を容易にすることができる。
【０１０３】
また、容器３内の内容物５の成分に関する情報を含む内容物データを記憶し、使用量データと内容物データとを、所定範囲Ｒ内にある携帯端末装置２０に近距離無線通信により送信する場合、容器側である計量装置１０に内容物データが記憶されているので、外部の管理サーバが不要になり、容易に個人毎に、内容物５の使用に関する管理を容易にすることができる。
【０１０４】
また、内容物５の成分に関する情報が、食品の栄養成分に関する情報である場合、他の商品の栄養成分と、栄養成分毎に統合でき、食品の栄養成分に関する健康管理ができる。
【０１０５】
また、計量部１１が重量を計測する場合、重量を計測するひずみセンサ等により、低コストの計量装置を実現できる。
【０１０６】
なお、計量部１１は、容器３内の内容物の体積を、光センサ等により計量してもよい。
【０１０７】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１０８】
１：管理システム
３：容器
５：内容物
１０：計量装置
１１：計量部（計量手段）
１２：記憶部（記憶手段）
１３：近距離無線通信部（通信部、通信手段）
１４：制御部（演算部、演算手段）
Ｒ：所定範囲
２０：携帯端末装置
【図２】
2014234993.tif 000003
【図３】
2014234993.tif 000004
【図４】
2014234993.tif 000005
【図５】
2014234993.tif 000006
【図６】
2014234993.tif 000007
【図７】
2014234993.tif 000008
【図８】
2014234993.tif 000009
【図９】
2014234993.tif 000010
【図１０】
2014234993.tif 000011
【図１】
2014234993.tif 000012